(57)【要約】      （修正有）【課題】カードエッジコネクタを提供する。【解決手段】本体、複数の第一導電端子、複数の第二導電端子、最低一つの嵌入部品、及び最低一つの半田付け部品を備える。本体には最低一つの嵌合固定溝、複数の第一端子挿入溝、及び複数の第二端子挿入溝を設ける。第一導電端子は第一端子挿入溝に内設、第一導電端子には半田付けピンを設置する。第二導電端子は第二端子挿入溝に内設、第二導電端子には半田付け部を設置する。嵌入部品は嵌合固定溝内に挿設、嵌入部品は嵌合固定ブロックを設置する。半田付け部品には連結部を設置し、連結部の両端はどちらも外側方向に湾曲して延伸する半田付け片であり、連結部は前記嵌入部品の嵌合固定ブロック上に嵌設される。本考案のカードエッジコネクタは半田付け部品の連結部を前記嵌入部品の嵌合固定ブロック上に嵌設している故、半田付けを便利にするだけでなく、低コスト、安定性を有するものとなる。【選択図】図２
0003149790.tif 000002
【実用新案登録請求の範囲】
【請求項１】
カードエッジコネクタにおいて、
最低一つの嵌合固定溝、複数の第一端子挿入溝、及び複数の第二端子挿入溝を設ける本体と、
第一端子挿入溝に内設、半田付けピンを設置する複数の第一導電端子と、
第二端子挿入溝に内設、半田付け部を設置する複数の第二導電端子と、
嵌合固定溝内に挿設、嵌合固定ブロックを設置する最低一つの嵌入部品と、
連結部を設置し、連結部の両端はどちらも外側方向に湾曲して延伸する半田付け片を設け連結部は前記嵌入部品の嵌合固定ブロック上に嵌設する最低一つの半田付け部品とを備えることを特徴とするカードエッジコネクタ。
【請求項２】
請求項１記載のカードエッジコネクタにおいて、前記嵌入部品は挿入部を備え、挿入部は前記嵌合固定溝内に挿設、前記挿入部の一端には延伸部及びストッパーアームを延伸し、前記延伸部の前方端下部には内側に湾曲して延伸する位置限定部を形成し、前記位置限定部の末端はストッパーアームの内側に位置し、前記ストッパーアームの一端は内側方向に湾曲して延伸する固定体を設け、前記固定体には固定体を備え、前記固定板内には相互に繋がる挿入溝及び固定支持溝を開設、固定支持溝の溝壁には前記嵌合固定ブロックを突出させ、挿入溝の溝壁の両側には嵌合固定ブロックの両側方向に延伸する二つのガイドアームを設けることを特徴とするカードエッジコネクタ。
【請求項３】
請求項２記載のカードエッジコネクタにおいて、前記本体には固定アームを備え、前記固定アームには固定部を設け、固定部の一端上部には凹溝を開設し、前記凹溝の底部には上方向に突出する突出体を形成し、延伸部の上表面には湾曲して延伸する嵌合部を形成し、嵌合部は前記突出体を包覆することを特徴とするカードエッジコネクタ。
【請求項４】
請求項３記載のカードエッジコネクタにおいて、前記凹溝の溝壁下部には後方に窪んだ嵌合溝を形成し、前記嵌合部の末端後部には後方に延伸する嵌合片を設け、前記嵌合片は前記嵌合溝内に挿設することを特徴とするカードエッジコネクタ。
【請求項５】
請求項４記載のカードエッジコネクタにおいて、前記延伸部の一端には嵌着部を延伸することを特徴とするカードエッジコネクタ。
【考案の詳細な説明】
【技術分野】
【０００１】
本考案はコネクタに関するもので、特にカードエッジコネクタに係る。
【背景技術】
【０００２】
特許文献１及び特許文献２はカードエッジコネクタを開示しており、二種のカードエッジコネクタにはどちらも本体、本体上に装着した二つの耳状引き掛け部、本体上に挿設する複数の導電端子を備える。前記耳状引き掛け部には半田付け体を設け、前記導電端子には半田付けピンを設置し、半田付け体及び半田付けピンはどちらも同一プリント基板上に半田付けする。
【０００３】
【特許文献１】中華人民共和国特許申請番号第０２２４８２９３．８号明細書
【特許文献２】中華人民共和国特許申請番号第０３２４７５１０．１号明細書
【０００４】
しかし前述技術による導電端子の半田付けピンの底面と耳状引き掛け部の半田付け体の底面は同一平面になるとは限らず、半田付け体をプリント基板上に半田付けする為には半田付け体の面積を大きくしなければならず、コスト高、半田付けの不安定を引き起こす。
【考案の開示】
【考案が解決しようとする課題】
【０００５】
本考案の主な目的は、半田付けが簡単で、低コスト、しかも安定性のあるカードエッジコネクタを提供することにある。
【課題を解決するための手段】
【０００６】
本考案の提供するカードエッジコネクタは本体、複数の第一導電端子、複数の第二導電端子、最低一つの嵌入部品、及び最低一つの半田付け部品を備える。本体には最低一つの嵌合固定溝、複数の第一端子挿入溝、及び複数の第二端子挿入溝を備える。第一導電端子は第一端子挿入溝に内設、第一導電端子には半田付けピンを設置する。第二導電端子は第二端子挿入溝に内設、第二端子挿入溝には半田付け部を設置する。嵌入部品は嵌合固定溝内に挿設、嵌入部品は嵌合固定ブロックを設置する。半田付け部品には連結部を設置し、連結部の両端にはどちらにも外側方向に湾曲して延伸する半田付け片を備え、連結部は前記嵌入部品の嵌合固定ブロック上に嵌設する。
前記の通り本考案のカードエッジコネクタは半田付け部品の連結部を前記嵌入部品の嵌合固定ブロック上に嵌設することにより、半田付け部品の上下方向の位置が調節可能となり、半田付け部品の半田付け片の底面と半田付けピン及び半田付け部を同一平面上に簡単に半田付けすることができる。よって半田付け片は小面積が可能となり、最終的には半田付けを便利にするだけでなく、低コスト、安定性を達成するものとなる。
【考案の効果】
【０００７】
本考案のカードエッジコネクタは、半田付けが簡単で低コスト、しかも安定性を達成することを特徴とする。
【考案を実施するための最良の形態】
【０００８】
図１及び図２に示す通り、本考案のカードエッジコネクタは本体１、複数の第一導電端子２、複数の第二導電端子３、二つの嵌入部品４、及び二つの半田付け部品５を備える。
図２に示す通り本体１は長方体形状の本体基本部１１を備え、前記本体基本部１１には複数の第一端子挿入溝１１１及び複数の第二端子挿入溝１１２を設置する。本体基本部１１の前表面には後方に窪んだほぼ方形のカード挿入溝１１３を形成し、カード挿入溝１１３の上部壁と後部壁下方にはそれぞれ引き続き後方向に窪み本体基本部１１の後表面に貫通する複数の収納溝１１２１と固定溝１１２２を形成し、収納溝１１２１と固定溝１１２２の上下位置は一つ一つ対応し後部に繋がっている。収納溝１１２１と固定溝１１２２が共に前記第一端子挿入溝１１１を構成する。カード挿入溝１１３の下部壁は、下方向に窪み本体基本部１１の前表面下部は後方に窪み、これにより前記第二端子挿入溝１１２を形成する。カード挿入溝１１３の右側の上部壁、下部壁、後部壁の間にはブロック形状のポカヨケ体１１４を連結する。
【０００９】
本体基本部１１の前表面の両端には前方に延伸する固定アーム１２を設け、前記固定アーム１２には本体基本部１１と連結する固定部１２１を備え、固定部１２１の前方端上部には凹溝１２２を設け、前記凹溝１２２の底部には上方向に突出する方形の突出体１２３を形成し、前記突出体１２３の後部端と凹溝１２２の溝壁は繋がっている。凹溝１２２の溝壁下部には後方に窪んだ方形の嵌合溝１２４を形成する。前記本体基本部１１の前部表面両端には固定アーム１２の外側に沿って後方に窪んだ方形の嵌合固定溝１３を形成し、前記嵌合固定溝１３は本体基本部１１の前部表面及び後部表面を貫通する。前記本体基本部１１の後部表面両端で嵌合固定溝１３に位置する上部と下部は、後方に延伸する固定ブロック１４を備える。
第一導電端子２は長細い板状の第一固定支持部２１を備える。第一固定支持部２１の上端には前方に湾曲して延伸する導電アーム２２を形成し、前記第一固定支持部２１の中央部には前方に延伸する第二固定支持部２３を備え、前記第一固定支持部２１の下部端には後方に湾曲して延伸する半田付けピン２４を形成する。第二導電端子３はほぼ長い棒状を呈する固定片３１を備え、固定片３１の前方端の上部には後方に湾曲して延伸する導電部３２を形成し、固定部１２１の前方端の下部には前方に延伸する半田付け部３３を備える。
【００１０】
図１、図３、図４に示す通り、嵌入部品４はほぼ長細い板状の挿入部４１を備え、挿入部４１の前方端上部には前方向に延伸する延伸部４２を設け、延伸部４２の末端下部には前方に湾曲して延伸する引っ掛け形状を有する嵌着部４３を形成し、前記延伸部４２の前方端の上表面には内側方向に湾曲して延伸する加圧体４４を形成し、前記加圧体４４はガイド部４４１及びプッシュ部４４２を備える。ガイド部４４１は延伸部４２から先ず内側に次に下方向に湾曲して延伸させたものであり、前記ガイド部４４１の末端には外側に水平に延伸した前記プッシュ部４４２を形成する。前記延伸部４２上表面と加圧体４４との相隣箇所には内側に湾曲して延伸するほぼＪ字形の嵌合部４５を形成し、嵌合部４５の末端後部には後方に延伸する嵌合片４６を設ける。延伸部４２の前方端の下部には内側方向に湾曲して延伸するＬ字形状の位置限定部４７を形成する。
【００１１】
挿入部４１の前方端の上表面には先ず下方に次に前方に湾曲して延伸するストッパーアーム４８を形成し、前記ストッパーアーム４８の前部は前記延伸部４２の丁度下方で位置限定部４７末端の外側に位置する。ストッパーアーム４８の末端下部には内側に水平に湾曲して延伸する固定体４９を設け、固定体４９には板状の固定板４９１を備える。固定板４９１内には二つが相互に繋がる方形の固定支持溝４９２と挿入溝４９３を開設し、固定支持溝４９２の溝壁の挿入溝４９３方向には方形の嵌合固定ブロック４９４を突設する。挿入溝４９３のストッパーアーム４８下部に位置し嵌合固定ブロック４９４方向の挿入溝４９３の溝壁の両側には弧状の二つのガイドアーム４９５を延伸する。半田付け部品５はほぼ逆凹形状を呈する連結部５１を備え、前記連結部５１の下端の外側方向に湾曲して延伸する左右延伸形状の半田付け片５２を設ける。
【００１２】
本考案のカードエッジコネクタ１００を組立て装着する場合、第一導電端子２を第一端子挿入溝１１１内に挿設、導電アーム２２は収納溝１１２１に内設して一部をカード挿入溝１１３内に延伸する。第二固定支持部２３は固定溝１１２２に内設して半田付けピン２４の下表面と本体１の下表面をフラットになるように揃える。第二導電端子３を第二端子挿入溝１１２に内設導電部３２の一部をカード挿入溝１１３内に延伸し、半田付け部３３は本体１外に延伸し、半田付け部３３の下表面と本体１の下表面をフラットになるように揃える。嵌入部品４の挿入部４１を嵌合固定溝１３内に挿設嵌合部４５で前記突出体１２３を包覆し、嵌合片４６を嵌合溝１２４内に挿設すると嵌入部品４は本体１上で固定される。半田付け部品５は二つのガイドアーム４９５の間の挿入溝４９３から固定支持溝４９２に挿入し、連結部５１は前記嵌入部品４の嵌合固定ブロック４９４上に装着する。前記連結部５１の上部と嵌合固定ブロック４９４には一定距離を保たせ、半田付け片５２は固定体４９下方に位置させる。前記固定ブロック１４は電子製品（未図示）上に嵌設、前記第一導電端子２の半田付けピン２４、第二導電端子３の半田付け部３３、及び半田付け部品５の半田付け片５２は全て回路板（未図示）上に半田付けする。
【００１３】
図１及び図５に示す通り、本実施例においてカードエッジコネクタ１００に挿設したインタフェースカード６はポカヨケ溝６１、嵌着溝６２を備える。本考案のカードエッジコネクタ１００をインタフェースカード６に挿入する時、インタフェースカード６のポカヨケ溝６１とポカヨケ体１１４を照準させた後、インタフェースカード６の前部一部をカード挿入溝１１３内に挿入し、最後にインタフェースカード６の後部を嵌入部品４のガイド部４４１に沿ってインタフェースカード６の下表面が位置限定部４７上に接触するまで下方向に加圧し、こうしてインタフェースカード６の前部をカード挿入溝１１３に内設、インタフェースカード６の上表面が嵌入部品４のプッシュ部４４２の下表面を圧し、嵌着部４３は嵌着溝６２に嵌合固定される。最後にインタフェースカード６とカードエッジコネクタ１００が電気的に接続される。インタフェースカード６を取り出す時は、嵌入部品４の二つの嵌着部４３を外側方向に動かして嵌着部４３と嵌着溝６２の連結を解除し、インタフェースカード６をカード挿入溝１１３内から取り外せばよい。
【００１４】
嵌入部品４の位置限定部４７の末端はストッパーアーム４８末端の内側に位置している故、嵌着部４３のインタフェースカード６を移動すると、位置限定部４７末端はストッパーアーム４８内を圧して止まり、これにより嵌着部４３の移動角度過度による嵌着部４３の疲労を防ぐ。
【００１５】
嵌入部品４の嵌合部４５は前記固定アーム１２の突出体１２３を包覆し、嵌合片４６は固定アーム１２の嵌合溝１２４内に挿設する。これにより嵌入部品４は更に本体１上に安定的に固定される。挿入溝４９３の溝壁両端で嵌合固定ブロック４９４方向の両側に延伸するガイドアーム４９５を設ける故、半田付け部品５は簡単に挿入でき半田付け部品５は固定支持溝４９２内から離脱し難くなる。前記嵌入部品４は金属部品を湾曲して形成するものであり、製造コストを低下させられる。
【００１６】
前記の通り本考案のカードエッジコネクタ１００は半田付け部品５の連結部５１を前記嵌入部品４の嵌合固定ブロック４９４上に結合することにより、半田付け部品５上下方向の位置を調節することが可能となり、半田付けピン２４、半田付け部３３、及び半田付け片５２の底面は同一平面上に半田付けする為、半田付け片５２は小面積の設置となり、最終的に半田付けが便利であるだけでなく低コスト、安定した半田付けが可能となる。
【図面の簡単な説明】
【００１７】
【図１】本考案のカードエッジコネクタの立体図である。
【図２】図１に示したカードエッジコネクタの分解図である。
【図３】図１に示したカードエッジコネクタの嵌入部品の立体図である。
【図４】図３に示した嵌入部品の別角度の立体図である。
【図５】本考案のカードエッジコネクタに応用可能なインタフェースカードの立体図である。
【符号の説明】
【００１８】
１      本体
１００  カードエッジコネクタ
１１  本体基本部
１１１  第一端子挿入溝
１１２  第二端子挿入溝
１１２１  収納溝
１１２２  固定溝
１１３  カード挿入溝
１１４  ポカヨケ体
１２  固定アーム
１２１  固定部
１２２  凹溝
１２３  突出体
１２４  嵌合溝
１３  嵌合固定溝
１４  固定ブロック
２  第一導電端子
２１  第一固定支持部
２２      導電アーム
２３  第二固定支持部
２４  半田付けピン
３  第二導電端子
３１  固定片
３２  導電部
３３  半田付け部
４  嵌入部品
４１  挿入部
４２  延伸部
４３  嵌着部
４４  加圧体
４４１  ガイド部
４４２  プッシュ部
４５  嵌合部
４６  嵌合片
４７  位置限定部
４８  ストッパーアーム
４９  固定体
４９１  固定板
４９２  固定支持溝
４９３  挿入溝
４９４  嵌合固定ブロック
４９５  ガイドアーム
５  半田付け部品
５１  連結部
５２  半田付け片
６  インタフェースカード
６１  ポカヨケ溝
６２      嵌着溝
【図１】
0003149790.tif 000003
【図２】
0003149790.tif 000004
【図３】
0003149790.tif 000005
【図４】
0003149790.tif 000006
【図５】
0003149790.tif 000007
【手続補正書】
【提出日】平成21年1月13日(2009.1.13)
【手続補正１】
【補正対象書類名】実用新案登録請求の範囲
【補正対象項目名】請求項２
【補正方法】変更
【補正の内容】
【請求項２】
請求項１記載のカードエッジコネクタにおいて、前記嵌入部品は挿入部を備え、挿入部は前記嵌合固定溝内に挿設、前記挿入部の一端には延伸部及びストッパーアームを延伸し、前記延伸部の前方端下部には内側に湾曲して延伸する位置限定部を形成し、前記位置限定部の末端はストッパーアームの内側に位置し、前記ストッパーアームの一端は内側方向に湾曲して延伸する固定体を設け、前記固定体には固定体を備え、固定板内には相互に繋がる挿入溝及び固定支持溝を開設、固定支持溝の溝壁には前記嵌合固定ブロックを突出させ、挿入溝の溝壁の両側には嵌合固定ブロックの両側方向に延伸する二つのガイドアームを設けることを特徴とするカードエッジコネクタ。
【手続補正書】
【提出日】平成21年2月5日(2009.2.5)
【手続補正１】
【補正対象書類名】実用新案登録請求の範囲
【補正対象項目名】請求項２
【補正方法】変更
【補正の内容】
【請求項２】
請求項１記載のカードエッジコネクタにおいて、前記嵌入部品は挿入部を備え、挿入部は前記嵌合固定溝内に挿設、前記挿入部の一端には延伸部及びストッパーアームを延伸し、前記延伸部の前方端下部には内側に湾曲して延伸する位置限定部を形成し、前記位置限定部の末端はストッパーアームの内側に位置し、前記ストッパーアームの一端は内側方向に湾曲して延伸する固定体を設け、前記固定体には固定板を備え、前記固定板内には相互に繋がる挿入溝及び固定支持溝を開設、固定支持溝の溝壁には前記嵌合固定ブロックを突出させ、挿入溝の溝壁の両側には嵌合固定ブロックの両側方向に延伸する二つのガイドアームを設けることを特徴とするカードエッジコネクタ。